(57)【要約】【課題】軒樋に溜まったごみを迅速かつ簡易に除去できる軒樋支持具を提供する。【解決手段】軒樋支持具１は、取付足部２０の前端と、樋支持部１０の後端とがラチェット機構３０で連結されている。樋支持部１０は、取付足部２０とのなす角度が小さくなるように回動されたときに、多段階の回動位置で、逆回転が規制されるように停止する一方、取付足部２０とのなす角度が所定の最小角度となったときに、樋支持部１０に支持された軒樋５の内部が前方を向く開放位置まで回動可能となる。【選択図】図１
2017115466.tif 000002
【特許請求の範囲】
【請求項１】
軒先に前方に突出するように固定される取付足部と、該取付足部の前端側で軒樋を受け支持する樋支持部とを備えた軒樋支持具において、
前記取付足部の前端と、前記樋支持部の後端とがラチェット機構で連結されており、
前記ラチェット機構により、前記樋支持部は、前記取付足部とのなす角度が小さくなるように回動されたときに、多段階の回動位置で、逆回転が規制されるように停止する一方、前記取付足部とのなす角度が所定の最小角度となったときに、前記樋支持部に支持された軒樋の内部が前方を向く開放位置まで回動可能となるようになっていることを特徴とする軒樋支持具。
【請求項２】
請求項１において、
前記樋支持部の停止位置で、前記取付足部とのなす角度が小さくなる回動を阻止する回動規制手段をさらに備えていることを特徴とする軒樋支持具。
【請求項３】
請求項１または２において、
前記取付足部の前端と、前記樋支持部の後端との連結部の外面に、前記取付足部を取り付ける対象物の傾斜に応じた目盛りが設けられていることを特徴とする軒樋支持具。
【発明の詳細な説明】
【技術分野】
【０００１】
本発明は、軒先に前方に突出するように固定される取付足部と、取付足部の前端側で軒樋を受け支持する樋支持部とを備えた軒樋支持具に関する。
【背景技術】
【０００２】
軒樋は上方に向けて開口しているため、落葉や土が溜まりやすく、溜まったごみによって軒樋としての機能が減退するおそれがある。
【０００３】
したがって、定期的に軒樋内を掃除する必要がある。掃除を効率よく実施するためには、取り外しが簡単にできるようにすることが望ましく、従来には、軒樋全体を取り外しできるように着脱自在な軒樋支持具が提案されている（たとえば、特許文献１参照）。
【０００４】
特許文献１に記載された軒樋支持具は、寒冷地などでの積雪による軒樋の損傷を回避することを目的としたものである。すなわち、この軒樋支持具によれば、軒樋および軒樋支持具を、外観を悪くすることなくきれいに取り外せるし、取り外したのちに軒樋の内部の掃除を行うこともできる。
【先行技術文献】
【特許文献】
【０００５】
【特許文献１】特開２０１１−１２３９８号公報
【発明の概要】
【発明が解決しようとする課題】
【０００６】
しかしながら、特許文献１のものは上記のように軒樋の取り外すことを目的としたものであるため、軒樋内の掃除は取り外してから実施しなければならず、取り外しが面倒なうえ、時間を要する。
【０００７】
本発明は、このような事情を考慮して提案されたもので、その目的は、軒樋に溜まったごみを迅速かつ簡易に除去できる軒樋支持具を提供することにある。
【課題を解決するための手段】
【０００８】
上記目的を達成するために、請求項１に記載の軒樋支持具は、軒先に前方に突出するように固定される取付足部と、取付足部の前端側で軒樋を受け支持する樋支持部とを備えた軒樋支持具において、取付足部の前端と、樋支持部の後端とがラチェット機構で連結されており、ラチェット機構により、樋支持部は、取付足部とのなす角度が小さくなるように回動されたときに、多段階の回動位置で、逆回転が規制されるように停止する一方、取付足部とのなす角度が所定の最小角度となったときに、樋支持部に支持された軒樋の内部が前方を向く開放位置まで回動可能となるようになっていることを特徴とする。
【０００９】
請求項２に記載の軒樋支持具は、樋支持部の停止位置で、取付足部とのなす角度が小さくなる回動を阻止する回動規制手段をさらに備えていることを特徴とする。
【００１０】
請求項３に記載の軒樋支持具は、取付足部の前端と、樋支持部の後端との連結部の外面に、取付足部を取り付ける対象物の傾斜に応じた目盛りが設けられていることを特徴とする。
【発明の効果】
【００１１】
請求項１に記載の軒樋支持具によれば、上述した構成となっているため、迅速かつ簡易に軒樋内の掃除をすることができる。また、軒樋を完全に取り外さなくてもよいため、掃除したのちに樋支持部を元の位置に戻すのも迅速かつ簡単に行える。
【００１２】
請求項２に記載の軒樋支持具によれば、上述した構成となっているため、軒樋の前方から風が吹いたときでも、樋支持部が取付足部とのなす角度が小さくなる、ラチェット機構による回動動作が阻止される。
【００１３】
請求項３に記載の軒樋支持具によれば、上述した構成となっているため、軒樋支持具の取り付けの際または軒樋の掃除作業の後に軒樋を元の位置に戻す際に、樋支持部を取付足部に対し適切な角度に固定することができる。
【図面の簡単な説明】
【００１４】
【図１】（ａ）は本発明の一実施形態に係る軒樋支持具の側面図および一部拡大図であり、（ｂ）は取付足部と樋支持部との連結部の拡大縦断面図である。
【図２】（ａ）ラチェット機構の開き状態（初期位置）（樋支持部の開放位置）を示す縦断面図であり、（ｂ）はラチェット機構に使用される部材の拡大側面図である。
【図３】（ａ）は開き状態から正回転（取付足部とのなす角度が小さくなるような樋支持部の回動）を開始した直後の状態を示すラチェット機構の縦断面図であり、（ｂ）は（ａ）後の係合状態（停止状態）を示す縦断面図である。
【図４】（ａ）は他の係合状態を示すラチェット機構の縦断面図であり、（ｂ）は正回転の終端状態を示すラチェット機構の縦断面図である。
【図５】初期位置に戻る前の状態を示すラチェット機構の縦断面図である。
【図６】（ａ）は軒樋支持具に使用される回動規制手段の一例を示す縦断面図であり、（ｂ）は回動規制手段による回動阻止状態を示す軒樋支持具の部分概略平面図である。
【図７】（ａ）（ｂ）は、軒樋の掃除手順（手順１、２）を示した軒樋支持具の模式側面図である。
【図８】軒樋の掃除手順（手順３）を示した軒樋支持具の模式側面図である。
【発明を実施するための形態】
【００１５】
以下に、本発明の実施の形態に係る軒樋支持具について、添付図面にもとづいて説明する。
【００１６】
まず、以下に説明する各種の軒樋支持具１の基本構成について説明する。
【００１７】
この軒樋支持具１は、軒先に前方に突出するように固定される取付足部２０と、取付足部２０の前端側で軒樋５を受け支持する樋支持部１０とを備えた樋支持具である。この軒樋支持具１は、取付足部２０の前端と、樋支持部１０の後端とがラチェット機構３０で連結されている。樋支持部１０は、取付足部２０とのなす角度が小さくなるように回動されたときに、多段階の回動位置で、逆回転が規制されるように停止する一方、取付足部２０とのなす角度が所定の最小角度となったときに、樋支持部１０に支持された軒樋５の内部が前方を向く開放位置まで回動可能となるようになっている。
【００１８】
ついで、軒樋支持具１の詳細な構成、効果について説明する。
【００１９】
図１（ａ）に示した軒樋支持具１は、上述したように、取付足部２０と樋支持部１０とを備えた構成とされる。
【００２０】
取付足部２０は、金属帯板体よりなり、後部２２と前部２１との間で捻られた形状とされ、後部２２では板面が軒先の垂木３などに側方から固定具７で固定できるように側方を向いており、前部２１では板面が上下方向を向いている。なお、軒樋支持具１は屋根の傾斜に応じて、図１に示すように傾斜した状態に取り付けられる。
【００２１】
また、樋支持部１０は、取付足部２０とは別体とされ、図１に示すように、湾曲形状の軒樋５を受け支持できるように湾曲した形状となっており、軒樋５の前後のそれぞれを係止して軒樋５を固定する構造となっている。樋支持部１０の後端は、取付足部２０の前端と連結部で連結されている。
【００２２】
この連結部が上述のラチェット機構３０を有している。本実施形態のものは、ラチェット機構３０が別体のラチェット金具３０Ａ（図１（ｂ）参照）に内蔵されており、このラチェット金具３０Ａが取付足部２０と樋支持部１０とを連結する連結部を構成している。
【００２３】
図１（ａ）に示した状態では、連結部はラチェット機構３０による、樋支持部１０と取付足部２０とのなす角度が小さくなるように段階的に回動する動作が、Ｌ字片９０で形成された回動規制手段Ａにより阻止されている。回動規制手段Ａを構成するＬ字片９０については、図６の説明とともに後述する。
【００２４】
また、図１（ａ）の一部拡大図に示すように、連結部の外面に、取付足部２０を取り付ける対象物（本例の場合は垂木３）の傾斜に応じた目盛り３５が設けられている。これにより、軒樋支持具１の取り付けの際または軒樋５の掃除作業の後に軒樋５を元の位置に戻す際に、樋支持部１０を取付足部２０に対し、樋支持部１０を水平にするための適切な角度に固定することができる。
【００２５】
ついで、ラチェット金具３０Ａの構成と動作について、図１〜図５にもとづいて説明する。
【００２６】
図１（ｂ）および図２〜図５は、ラチェット金具３０Ａの構造および動作を説明するための図である。なお、図１（ｂ）は、図１（ａ）の軒樋支持具１の設置状態に対応させたラチェット金具３０Ａが傾斜を変えずに拡大図で示してあるが、図２〜図５においては、図２（ａ）の開き状態で図中において両真横方向に延びた状態を基準として、ラチェット金具３０Ａが示してある。
【００２７】
これらの図に示すように、このラチェット金具３０Ａは、軒樋支持具１における取付足部２０と樋支持部１０との間の連結部として採用されるものであって、固定金具４０と、回動金具５０と、逆転防止爪６０と、カム板７０とを基本的な構成として備えている。
【００２８】
固定金具４０は、取付足部２０に取り付けられる筒状の固定部材取付片４１と、その端部に設けられたハウジング４２とを有している。ハウジング４２は、図２（ａ）の紙面に向かって垂直方向に相対向する一対の略円形の側壁４２ａと、両側壁４２ａを連結する底壁４２ｂとにより構成されている。なお図面においては、一対の側壁４２ａのうち片側のみを示す。
【００２９】
回動金具５０は、樋支持部１０に取り付けられる筒状の回動部材取付片５１と、その端部に設けられ、図２（ａ）の紙面に向かって垂直方向に相対向する一対のラチェット５２とを有している。なお図面においては、一対のラチェット５２のうち片側のみを示す。
【００３０】
さらに回動金具５０の回動部材取付片５１におけるラチェット５２の端部には、後述するカム板７０の第１当たり片７５および第２当たり片７６に衝合し得る第１当たり部５５および第２当たり部５６が設けられている。
【００３１】
また、ラチェット５２の外周縁部には、複数のラチェット歯５３が所定のピッチで形成されている。このラチェット歯５３は、後に詳述するように、樋支持部１０を７段で、つまり７箇所の回転位置で停止できるようなピッチで形成されている。
【００３２】
この回動金具５０の一対のラチェット５２間にカム板７０を介装した状態で、ラチェット５２およびカム板７０が、固定金具４０のハウジング４２内に収容されて、ハウジング４２の両側壁４２ａの略中央に設けられた軸３１に回動自在に軸支されている。
【００３３】
このハウジング４２の上方には柔軟性、伸縮性を有したカバー部材８０が、ハウジング４２の開放した上下部分を袋状に覆うように固定金具４０と回動金具５０とに取り付けられており、これにより雨水などが浸入することを防止する。なお、図１（ｂ）等ではカバー部材８０のハッチングは省略した。
【００３４】
また、固定金具４０のハウジング４２内に配置される逆転防止爪６０は、その先端側にラチェット歯５３に係合し得る第１爪片６１および第２爪片６２が形成されている。この第１、第２爪片６１、６２をラチェット歯５３に対応させた状態で、逆転防止爪６０の基端側が固定金具４０のハウジング４２に軸３２を介し回転自在に軸支される。そして、この逆転防止爪６０が、軸３２を支点に図２（ａ）の紙面に向かって反時計方向（係合方向）に揺動した際には、第１爪片６１および第２爪片６２が、隣り合ういずれかのラチェット歯５３に係合するとともに、時計方向（離脱方向）に揺動した際には、第１爪片６１および第２爪片６２がラチェット歯５３から離脱した状態に配置されるよう構成されている。
【００３５】
さらに逆転防止爪６０は、軸３２に設けられた巻ばね３２ａによる付勢手段により、反時計方向、つまりラチェット歯５３に咬合する方向に回転付勢されている。
【００３６】
そして、第１爪片６１および第２爪片６２がラチェット歯５３に係合した状態においては、ラチェット５２の時計方向（逆回転方向）の回転が規制されるよう構成されている。さらにこの状態において、ラチェット５２が反時計方向（正回転方向）に回転しようとした際には、ラチェット歯５３に第１、第２爪片６１、６２が離脱方向に押されて係合が解除されるよう構成されている。
【００３７】
ここで本実施形態においては、第１、第２爪片６１、６２のうち、第１爪片６１は、ラチェット５２の正回転方向側に配置されるとともに、第２爪片６２は逆回転方向側に配置されている。
【００３８】
図２（ｂ）に示すように、カム板７０における逆転防止爪６０に対向する側の半周域には、回動金具５０の第１当たり部５５および第２当たり部５６に衝合し得る第１当たり片７５および第２当たり片７６と、第１、第２爪片６１、６２のラチェット歯５３への係合を許容する周縁凹部７１と、第１、第２爪片６１、６２のラチェット歯５３への係合を規制するようにラチェット５２よりわずかに大きく円弧状に形成された周縁突部７２と、周縁凹部７１から周縁突部７２にかけて傾斜状に設けられたガイド部７３とを有している。
【００３９】
この構成のラチェット金具３０Ａにおいて、図２（ａ）に示すように、回動金具５０が固定金具４０に対し開いた状態（樋支持部１０を開放した状態）においては、逆転防止爪６０の第１、第２爪片６１、６２が、カム板７０の周縁凹部７１内に配置されることにより、逆転防止爪６０が係合方向に付勢されて、第１爪片６１および第２爪片６２が、各爪片６１、６２の初期係合位置に対応するラチェット歯５３、５３にそれぞれ係合する。なお図面においては、第１爪片６１の初期係合位置に対応するラチェット歯５３よりも前段側（反時計方向側）に、さらにラチェット歯が形成されているが、この歯は、さらに多段階の回動を許容するための歯である。つまりこのラチェット５２は、他の種類の軒樋支持具に使用されるラチェット金具の構成部材としても利用されるものである。
【００４０】
図２（ａ）の初期状態においては、回動金具５０を開く方向、つまり時計方向に荷重が加わったとしても、第１、第２爪片６１、６２がラチェット歯５３に係合することにより、開き方向への回転は規制される。
【００４１】
また図２（ａ）の初期状態から、図３（ａ）に示すように、回動金具５０を固定金具４０に対し閉じるように、つまり反時計方向に回転させた際には、ラチェット歯５３により第１、第２爪片６１、６２が離脱方向に押し込まれ、各爪片６１、６２が次段のラチェット歯５３を乗り越えた後に、図３（ｂ）（図１（ｂ））に示すように第１、第２爪片６１、６２が巻ばね３２ａの付勢力によって、次段のラチェット歯５３、５３にそれぞれ係合する。この２段目係合状態においても、上記初期状態と同様に、回動金具５０を開く方向に荷重が加わったとしても、第１、第２爪片６１、６２がラチェット歯５３に係合することにより、開き方向への回転は規制される。
【００４２】
さらにこの状態から、回動金具５０を閉じるように回転させた際には、上記と同様に第１、第２爪片６１、６２が次段のラチェット歯５３に送られて係合する。
【００４３】
このように、第１、第２爪片６１、６２が複数のラチェット歯５３へと順送りされることにより、回動金具５０の閉じる方向（正回転方向）（樋支持部１０と取付足部２０とのなす角度が小さくなる方向）への回転が許容される一方、第１、第２爪片６１、６２がラチェット歯５３に係合することにより、回動金具５０における開き方向（逆回転方向）（樋支持部１０と取付足部２０とのなす角度が大きくなる方向）の回転が規制される。
【００４４】
また図４（ａ）に示すように、回動金具５０を閉じる方向に最終係合位置まで回動させていき、第１、第２爪片６１、６２が最終係合位置の各ラチェット歯５３にそれぞれ係合した際には、回動金具５０が固定金具４０に対し略９０度の位置に固定される。
【００４５】
さらにこの最終係合位置から、図４（ｂ）に示すように、回動金具５０を固定金具４０に対し閉じる方向に少量回転させると、回動金具５０の第２当たり部５６がカム板７０の第２当たり片７６に衝合して、カム板７０が反時計方向（正回転方向）に少量回転する。これにより、第２爪片６２の先端が、巻ばね３２ａの付勢力に抗してカム板７０のガイド部７３に沿って離脱方向に押し込まれていき、周縁突部７２に乗り上げた状態に配置される。こうして第１爪片６１および第２爪片６２のラチェット歯５３に対する係合が解除された状態に保持される。
【００４６】
したがって、この状態においては、回動金具５０を開く方向（逆回転方向）に係合が解除された状態のまま回転することが可能となる。そして、回動金具５０を開く方向（逆回転方向）に回転していくと、図２（ａ）に示した初期位置の状態となる。
【００４７】
一方、本実施形態においては、図４（ｂ）の２点鎖線に示すように、カム板７０における第２当たり片７６の近傍に、外方突出状にストッパー７７を形成しておくのが好ましい。すなわちこの構成を採用する場合には、回動金具５０を閉じる方向に終端位置まで回動させた際に、ストッパー７７が回動金具５０の第２当たり部５６と逆転防止爪６０との間に介在状態に係合することにより、回動金具５０が終端位置を超えて正回転方向に過回転するのを確実に防止することができ、軒樋５の掃除作業をする際に樋支持部１０を開放するための準備作業として樋支持部１０と取付足部２０とのなす角度が所定の最小角度よりも小さくならないことを、つまり樋支持部１０および軒樋５が必要以上に後方へ倒れないことを防止することができる。
【００４８】
また図５に示すように、回動金具５０を正回転方向の終端位置から開く方向に回転させていき、初期位置に戻した際には、図２（ａ）に示すように回動金具５０の第１当たり部５５がカム板７０の第１当たり片７５に衝合して、カム板７０が時計方向（逆回転方向）に少量回転して、第２爪片６２の先端がカム板７０の周縁突部７２からガイド部７３を通って周縁凹部７１の位置に配置される。これにより、第１爪片６１および第２爪片６２が巻ばね３２ａの付勢力により周縁凹部７１内に挿入されると同時に、対応するラチェット歯５３にそれぞれ係合する。
【００４９】
つぎに図６（ａ）（ｂ）にもとづいて、回動規制手段Ａを構成するＬ字片９０について、説明する。図６（ａ）はＬ字片９０の正面図（図１の側面図の状態）であり、図６（ｂ）はＬ字片９０による回動阻止状態を示す軒樋支持具１の部分概略平面図である。
【００５０】
Ｌ字片９０は、取付足部２０に取り付けるための取付片部９１と、Ｌ形ばね部９２とよりなる。Ｌ形ばね部９２は、取付片部９１の下端より緩やかな降下傾斜で延びた横板ばね部９２ａと、横板ばね部９２ａの端部より、横板ばね部９２ａと略直角をなすように下方に延びた縦板ばね部９２ｂとを備えている。
【００５１】
図６（ａ）における２点鎖線は、Ｌ字片９０が樋支持部１０の回動を規制するように軒樋支持具１に取り付けられ、固定された使用状態のＬ形ばね部９２を示すものである。
【００５２】
このＬ字片９０の取付片部９１は、取付足部２０の上面にリベット等の固定具で横方向の回転ができるように取り付けられている。Ｌ字片９０が不使用状態にあるときには、たとえば図６（ｂ）の２点鎖線で示す位置に待機させておけばよい。
【００５３】
そして、軒樋５を樋支持部１０で支持するように設置したのち、図６（ｂ）に示すように、Ｌ字片９０を回転させ、Ｌ形ばね部９２を持ち上げて、軒樋５の後端１１を前方より押圧するようにセットする。この状態ではＬ形ばね部９２の付勢力により、取付足部２０の前端２３、連結部（ラチェット金具３０Ａ）および樋支持部１０の後端１１を含む部位が図６（ａ）の白抜き矢印方向に押圧される。
【００５４】
このように、Ｌ字片９０により、樋支持部１０と取付足部２０とのなす角度が小さくなる方向（ラチェット金具３０Ａの正回転方向）への段階的回動が阻止され、軒樋５が風にあおられてラチェット金具３０Ａがずれ動くことを防止することができる。
【００５５】
ついで、軒樋５の掃除作業の際の軒樋支持具１の動作について、図７（ａ）（ｂ）および図８（ａ）（ｂ）を参照しながら説明する。なお、図７および図８は模式的な図面であり、見やすくするために、軒樋支持具１の取付足部２０を実線で図示し、樋支持部１０を破線で図示した。手順を説明する。
【００５６】
まず、Ｌ字片９０を待機位置に移動する（図７（ａ）（ｂ））。つぎに、樋支持部１０を正回転させて所定の位置（樋支持部１０と取付足部２０とのなす角度が所定の最小角度となる位置）まで移動させる（図８（ａ））。このときラチェット金具３０Ａの固定金具４０は終端位置にある（図４（ｂ）参照）。この位置に達したときラチェット金具３０Ａの逆回転が可能となるため、樋支持部１０を取付足部２０とのなす角度が大きくなる方向に回動することで、ラチェット金具３０Ａを初期位置に戻して樋支持部１０を図８（ｂ）の状態にすることができる。
【００５７】
図８（ｂ）の状態では、樋支持部１０は垂れ下がった状態となり、軒樋５の内部（内底面）が前方を向く。
【００５８】
図８（ｂ）のように軒樋５の内部が前方を向いているため、溜まったごみＧを簡単に除去することができる。ようするに、軒樋５を完全に取り外さずとも軒樋５の内部のごみＧを掃き出ししやすくなる。なお、いったんこの状態にすれば、軒樋５を完全に取り外すことも簡単にできる。
【００５９】
また、軒樋５の元の状態への復帰は、ラチェット金具３０Ａが正回転するように樋支持部１０を回動させればよい。
【００６０】
以上のように、本軒樋支持具１は連結部にラチェット機構３０を有しているため、樋支持部１０を所定の角度まで回動させれば、その後逆方向の回動ができ、軒樋５の内部を前方に向けることができる。そのため、軒樋５内のごみを簡単かつ迅速に除去することができる。
【００６１】
また、軒樋５の元の状態への復帰も、ラチェット機構３０による段階回動操作で迅速に行うことができる。特に、連結部には目盛り３５（図１（ａ）参照）が設けられているので、元の状態に戻すのにも時間がかからない。したがって、軒樋５が長時間にわたって機能が損なわれることを防止することができる。
【００６２】
また以上の実施形態では、樋支持部１０の取付足部２０とのなす角度が小さくなる方向への段階的回動を阻止する回動規制手段ＡとしてＬ字片９０を例示したが、このものに限られず、ラチェット金具３０Ａの正回転を直接的に阻止するものであってもよい。たとえば、逆転防止爪６０とハウジング４２の底壁４２ｂとの隙間Ｓ（図２（ｂ）参照）に爪固定片（不図示）を差し込むことで逆転防止爪６０が動作しないようにして、ラチェット金具３０Ａの正回転を阻止するようにしたものであってもよい。
【００６３】
なお、強風でない限り樋支持部１０が軒樋５を支持した状態では回動金具５０は容易には正回転しないような構造にすれば、上記のような回動規制手段Ａを軒樋５を支持する全ての軒樋支持具１に設けなくてもよい。たとえば、巻きばね３２ａのばね力やラチェット歯５３の深さなどを調整して、回動金具５０が風により正回転しにくい構造としてもよい。
【符号の説明】
【００６４】
１          軒樋支持具
３          垂木
５          軒樋
１０        樋支持部
１１        後端
２０        取付足部
２１        前部
２２        後部
２３        前端
３０        ラチェット機構
３０Ａ      ラチェット金具（連結部）
３５        目盛り
４０        固定金具
５０        回動金具
６０        逆転防止爪
７０        カム板
８０        カバー部材
Ａ          回動規制手段
９０        Ｌ字片
９１        取付片部
９２        Ｌ形ばね部
９２ａ      横板ばね部
９２ｂ      縦板ばね部
【図１】
2017115466.tif 000003
【図２】
2017115466.tif 000004
【図３】
2017115466.tif 000005
【図４】
2017115466.tif 000006
【図５】
2017115466.tif 000007
【図６】
2017115466.tif 000008
【図７】
2017115466.tif 000009
【図８】
2017115466.tif 000010